(57)【特許請求の範囲】
【請求項１】
底壁（１１）および外周壁（１２）を有するとともに内部に複数のタブレット（５）を収容する収容空間（２０）を備える容器本体（１０）と、
容器本体（１０）の外周壁に設けられた振出口（３５）を閉じる閉位置と、同振出口（３５）を開ける開位置との間をスライド可能に、容器本体（１０）に連結された蓋部材（５０）と、を備える振出容器であって、
収容空間（２０）は、その高さがタブレット１つの全厚にほぼ等しく設定されており、対向する２つの板部材（３１、３２）で規定されるタブレットが１つだけ入ることができる待機スペース（３０）を介して、振出口（３５）と連通しており、
蓋部材（５０）が閉位置から開位置へとスライドして振出口（３５）を開けるとき、蓋部材の内面に立設したシャッタ部材（５５）が、収容空間（２０）と待機スペース（３０）との連通部を閉じるとともに、
上記シャッタ部材（５５）は、上記対向する２つの板部材（３１、３２）の一方（３２）に当接することで、蓋部材（５０）が容器本体（１０）に対して開位置を超えて相対スライドして離脱することを防ぐストッパとして機能し、
上記２つの板部材（３１、３２）の振出口（３５）とは反対側の端縁には、収容空間（２０）から待機スペース（３０）へとタブレット（５）を案内する仕切り板（２５、２６）が連設されていることを特徴とする、振出容器。
【発明の詳細な説明】
【技術分野】
【０００１】
本発明は、錠剤状の医薬品、粒状の清涼剤等の内容物を、小出しに使用する携帯用の振出容器に関する。
【背景技術】
【０００２】
従来、錠剤状の医薬品や粒状の清涼剤等を収納して、小出しに使用する振出容器としては、例えば、容器本体に設けた小出し用取出口を摺動可能な蓋体で開閉するようにしたものが知られている（たとえば、特許文献１参照）。
【０００３】
特許文献１に開示された携帯用ケースは、内容物の小出し用取出口と収納部が連通しているために、蓋体を開方向側に摺動させて小出し用取出口を開放し、この小出し用取出口から内容物を取り出す際に、前記取出口を下側に向けると、内容物が複数個出てくる。このため、例えば、内容物を１個だけ取り出したい場合、内容物を確実に１個だけ取り出すことは結構困難であった。
【０００４】
そこで、上記問題を解決するものとして、小出し用取出口から確実に内容物を１個だけ取り出す振出容器が提案されている（たとえば、特許文献２参照）。この特許文献２に開示された振出容器は、容器本体に設けた小出し用取出口と内容物収納部の間の容器本体内側に突き出る凸部を設けると共に、蓋体の前記凸部に対応する位置に外側に突き出る膨出部を形成することにより、複数種類の内容物を各１個ずつ確実に取り出すようにしたものである。
【０００５】
しかしながら、特許文献２記載の振出容器は、蓋体に膨出部を有するために、紙箱等に梱包する際には、整列した状態で梱包することができないために（嵩張るために）無駄な空間ができ、入数に対する紙箱のコストがアップするといった問題や店頭で販売する際にも陳列し難いといった問題があった。
【０００６】
【特許文献１】特開平１１−１０５９４９号公報
【特許文献２】特開２００１−２４０１５８号公報
【発明の開示】
【発明が解決しようとする課題】
【０００７】
本発明は、上記従来の問題点を解決するために創案されたものであって、内容物を１個ずつ確実に取り出すことができると共に、紙箱等に梱包する際にも嵩張ることがない振出容器を提供することを目的とする。
【課題を解決するための手段】
【０００８】
本発明の振出容器は、「底壁および外周壁を有するとともに内部に複数のタブレットを収容する収容空間を備える容器本体」と「容器本体の外周壁に設けられた振出口を閉じる閉位置と、同振出口を開ける開位置との間をスライド可能に、容器本体に連結された蓋部材」とを備える。
収容空間は、その高さがタブレット１つの全厚にほぼ等しく設定されており、タブレットが１つだけ入ることができる待機スペースを介して、振出口と連通している。
蓋部材が閉位置から開位置へとスライドして振出口を開けるとき、蓋部材の内面に立設したシャッタ部材が、収容空間と待機スペースとの連通部を閉じる。
【発明の効果】
【０００９】
上記構成を備えた本発明の振出容器においては、待機スペースは、タブレットが１つだけ入ることができるように、その寸法が設定されている。そして、蓋部材がスライドして振出口が開かれたとき、蓋部材に設けたシャッタ部材が、待機スペースと収容空間との連通部を閉じる。この状態では、新たなタブレットが待機スペースに入り込むことはできないので、振出口から振り出されるタブレットは常に１つだけである。
しかも、上記構成であれば、容器本体から外部へ向かって突出する膨出部を無くすことができるので、梱包の際に嵩張ることもない。
【発明を実施するための最良の形態】
【００１０】
本発明の実施形態を添付の図面を参照して以下に詳細に説明する。
本発明の振出容器は、容器本体１０と蓋部材５０から構成される。図１は容器本体１０を、図２は蓋部材５０を示す斜視図である。
【００１１】
≪容器本体１０：図１≫
容器本体１０は、平たいトレイ状であって、底壁１１および外周壁１２を有する。容器本体１０の内部には、複数のタブレット５を収容する収容空間２０を備える。収容空間２０は、その高さがタブレット１つの全厚にほぼ等しく設定されている。すなわち、後述する蓋部材５０を取り付けた状態において、収容空間２０内で複数のタブレット５が積み重なることはない。
【００１２】
図示の例では、収容空間２０の床部２１は、容器本体１０の底壁１１に対して上げ底とされているが、他の構成を採用してもよい。例えば、容器本体１０の底壁１１を直接収容空間２０の床部とすれば、振出容器全体の厚さがタブレット１つ分の厚みとほぼ等しくなり、スリム化できる。
【００１３】
収容空間２０は、容器本体１０の周壁１２と、仕切り板２５、２６で囲まれており、待機スペース３０に連なっている。待機スペース３０は、対向する仕切り板３１、３２に挟まれた空間であって、ここにはタブレット５が１つだけ入り込むことができるように、仕切り板３１、３２の間隔が設定されている。
また、待機スペース３０の箇所において、容器本体１０の周壁１２が途切れていて、ここに振出口３５が形成されている。すなわち、収容空間２０内のタブレット５は、詳しくは後述するように、まず待機スペース３０に入って、その後、振出口３５から振り出される。
【００１４】
≪蓋部材５０：図２≫
図２は、蓋部材５０を示す斜視図である。蓋部材５０は、容器本体の収容空間２０を閉じる天板５１と、その三片から立設するガイド壁５２から構成される。
蓋部材５０を容器本体１０に取り付けたとき、ガイド壁５２は、容器本体の周壁１２の外側に位置する。そして、ガイド壁５２の端縁に設けた返り部５３が容器本体の底面側に係合し、これにより、蓋部材５０は、容器本体１０に対してスライド可能に連結される。
ただし、容器本体１０と蓋部材５０とをスライド可能に連結する具体的な機構は、これに限らず、適宜の構成を採用できる。
【００１５】
蓋部材５０の天板５１の内面には、板状のシャッタ部材５５が立設されている。シャッタ部材５５は、詳しくは後述するように、蓋部材５０とともにスライド移動して、待機スペース３０と収容空間２０との連通部の開閉を行う。
【００１６】
次に、図３〜図５を参照して、本発明の振出容器において、タブレット５が１個づつ振り出される機構について説明する。これらの図においては、説明を分かりやすくするために、容器本体１０を破線で、蓋部材５０を実線で示している。
【００１７】
≪振出し機構：図３〜図５≫
（１）図３は、蓋部材５０が閉位置にある状態を示している。すなわち、蓋部材５０は容器本体１０を完全に閉じていて、ガイド壁５２が振出口３５を閉止している。この状態で容器を傾けると、タブレット５が１個だけ待機スペース３０内に位置する。既に説明した通り、待機スペース３０は、タブレット５が１つだけ入り込むことができるように、そのサイズが設定されている。
【００１８】
（２）蓋部材５０は、図３の閉位置から、図５の開位置までスライド可能である。図４はその中間位置にある状態を示している。
蓋部材５０のスライド移動に伴って、振出口３５が開き始める。これと同時に、シャッタ部材５５が、収容空間２０と待機スペース３０との連通部を閉じ始めている。
【００１９】
（３）図５の開位置では、蓋部材５０は容器本体１０に対して最大限右方向に相対移動しており、振出口３５が完全に開いている。また、シャッタ部材５５が待機スペース３０を閉じることで、収容空間２０から完全に分断している。
この状態で容器を振って振出動作を行っても、収容空間２０内のタブレットは、待機スペース３０内へと移動することはできない。したがって、勢いよく振ったとしても、振り出されるタブレットは１つだけである。
シャッタ部材５５は、図示の例では板状の部材であるが、蓋部材５０が振出口３５を閉じたとき（図３：閉位置）、待機スペース３０と収容空間２０を連通させ、蓋部材５０が振出口３５を開いたとき（図５：開位置）、待機スペース３０と収容空間２０を分断できるものであれば、その具体的構成は問わない。
【００２０】
蓋部材５０が図５の開位置にあるとき、待機スペース３０を規定する一方の仕切り板３２にシャッタ部材５５が当接することで、ストッパとしての機能を果たす。すなわち、このストッパ機構により、蓋部材５０がそれ以上相対スライドして、容器本体１０から離脱することが防がれる。
ストッパ機構として、一般的に知られた他の機構を利用することも可能であるが、シャッタ部材５５をストッパと兼用することで、構造の簡単化、ひいてはコストダウンを実現できる。
【００２１】
図示の例では、蓋部材５０のガイド壁５２を用いて振出口３５の開閉を行っているが、蓋部材５０のスライド移動に伴って移動する何らかの部材を用いて振出口３５の開閉を行うことができれば、他の構成であってもよい。
【図面の簡単な説明】
【００２２】
【図１】本発明の振出容器を構成する容器本体の斜視図。
【図２】本発明の振出容器を構成する蓋部材の斜視図。
【図３】本発明の振出容器を、蓋部材が閉位置にある状態で示す斜視図。
【図４】本発明の振出容器を、蓋部材が中間位置にある状態で示す斜視図。
【図５】本発明の振出容器を、蓋部材が開位置にある状態で示す斜視図。
【符号の説明】
【００２３】
５  タブレット
１０  容器本体
１１  底壁
１２  周壁
２０  収容空間
２１  床部
２５、２６  仕切り板
３０  待機スペース
３１、３２  仕切り板
３５  振出口
５０  蓋部材
５１  天板
５２  ガイド壁
５３  返り部
５５  シャッタ部材
【図１】
0005186864.tif 000002
【図２】
0005186864.tif 000003
【図３】
0005186864.tif 000004
【図４】
0005186864.tif 000005
【図５】
0005186864.tif 000006